(57)【特許請求の範囲】
【請求項１】
動物用噛み具であって、
第１の形状を有し、相対的に耐久性が低い可食性の第１の組成物を含む本体であって、そこを少なくとも途中まで通って延在する開口部を更に有する本体と、
第２の形状を有し、前記可食性の第１の組成物よりも相対的に耐久性のある重合体を含む非可食性の第２の組成物を含むホルダーであって、前記第２の形状が前記本体の前記開口部に対して相補的な形状であるシャフト部を有し、締まりばめを提供するホルダーと、
を備え、
前記ホルダーの前記非可食性の第２の組成物は、前記可食性の第１の組成物と比較して次の特徴、（１）高いショア硬さ、（２）高い融解温度、（３）高い分子量平均、（４）高い密度、（５）低い相対含水率、（６）相対的に厚い断面、（７）高い曲げ弾性率および／または引張係数、（８）高い引張強度、（９）低い降伏点伸び、および（１０）高い切り欠きアイゾット衝撃力、のうち一つ以上を有し、
前記本体の前記開口部は、一つ以上のＬ型の溝を有し、
前記シャフト部は、一つ以上の凸部を有し、
前記シャフト部は、前記シャフト部の前記一つ以上の凸部が前記本体の前記一つ以上のＬ型の溝と機械的に係合して、ロックを提供するように、前記本体の前記開口部内で係合する動物用噛み具。
【請求項２】
前記シャフト部は更に、一つ以上の溝を有し、前記本体の前記開口部は更に、一つ以上の凸部を有し、前記開口部内で前記シャフト部が係合する際、前記本体の前記一つ以上の凸部が前記シャフト部の前記一つ以上の溝と機械的に係合する請求項１記載の動物用噛み具。
【請求項３】
前記シャフト部の前記一つ以上の溝の少なくとも一つは「Ｌ型」であり、ロックを提供する請求項２記載の動物用噛み具。
【請求項４】
前記本体は、ハート、肉のカット、ポークチョップ、犬の骨、または複数に裂かれた物体からなるグループから選択された形状を有する請求項１〜請求項３のいずれか一項記載の動物用噛み具。
【請求項５】
前記ホルダーは、球状の端部を有する請求項１〜請求項４のいずれか一項記載の動物用噛み具。
【請求項６】
前記ホルダーは、幅のある端部を有し、前記シャフト部はある幅を有し、前記端部の幅は前記シャフト部の幅より大きい請求項１〜請求項４のいずれか一項記載の動物用噛み具。
【請求項７】
前記可食性の第１の組成物は、デンプンを含む請求項１〜請求項６のいずれか一項記載の動物用噛み具。
【請求項８】
前記重合体は、ナイロン、ポリウレタン、ゴム材料、熱可塑性エラストマー、ナイロン共重合体、スレチンブタジエン共重合体、ポリエーテルアミド共重合体、シリコーン、ポリカーボネート、ポリカーボネート共重合体、熱硬化性重合体、および、天然ゴムのうちの一つである請求項１〜請求項７のいずれか一項記載の動物用噛み具。
【発明の詳細な説明】
【発明の詳細な説明】
【０００１】
［技術分野］
本発明は、成型されたペット用噛み具に関する。特に、本発明は、ペットのおやつを保持するための相対的に耐久性があり長持ちするインサートを有する成型された動物用噛み具に関する。インサートは、動物による消費のために、交換可能および取替可能な消費できる様々なおやつを受けることができる。
［背景］
好まれる物質の硬さについての好みは様々ではあるが、多くの動物、特に犬は、物を噛むことを楽しいと感じる。牛骨、木やナイロンなどの非常に硬い材料を噛むことを好む犬もいれば、ポリウレタンまたはゴムまたはデンプンベースの食用製剤などのより柔らかい噛み具を好む犬もいるかもしれない。さらに、フリーズドライスナックを好む犬もいるかもしれない。加齢のために、あまり硬いものを噛むことができない犬もいるであろう。若い犬の歯はまだ充分に発達していないかもしれず、一方で、老犬は、疾患した歯茎を有していたり、数本の歯が抜けていたりするかもしれない。したがって、より柔らかく且つ簡単に食べることができる噛み具が好まれるであろう。
【０００２】
犬用噛み具のようなペット用玩具は、溶融加工によってほとんどどんな形状でも製造できる。特に、骨の形状は、一般に、より大きな端部とより小さく細長いシャフトを有し、犬は簡単に拾い上げることができる。端部は、概して球状であってもよく、関節丘の形状であってもよい。犬は、一般に、本体部を噛むために、前足の間に犬用噛み具の一端部を挟むであろう。
【０００３】
さらに、噛み玩具は、犬と人との交流を提供する手段としても使われ得る。例えば、スティック、ボール、フライングディスクなどを使って犬に取ってこさせることが好きな人もいれば、噛み具を掴むのに関節丘を用いて、動物と「綱引き」をすることが好きな人もいる。ペットと飼い主との交流は、報告されるところによれば、必要な運動と親交をペットに提供するのでペットに有益であるだけでなく、多くの報告された健康に関する効用により、飼い主にとっても有益であることが分かっている。
【０００４】
従来技術は、様々な噛み玩具の形成に向けられた開示が豊富である。しかし、他の要求を満たす噛み玩具を提供する必要性が依然として残っている。例えば、ペットだけでなくペットの飼い主にとっても興味深いペット用噛み具を提供できると便利であろう。さらに、噛む感覚を高めるペット用噛み具をペットまたは飼い主に提供できると便利であろう。したがって、新規な構造のペット用玩具は、ペットだけでなく、子供、１０代、または大人の飼い主の関心を刺激することを目的としてもよく、それによっては飼い主が動物と関わる時間を増やすことができるかもしれない。
【０００５】
さらに、このような噛み玩具は、ペットに様々な噛む経験を与えることができるように、１つ以上の材料を含むことが好ましいであろう。その目的のために、硬さや耐久性などの物理的性質が異なる様々な材料を組み合わせて、一つの噛み具にすることができる場合、一方の材料は、他方の材料用のホルダーとして用いられてよい。
【０００６】
保存可能期間が比較的短く、そのために頻繁に交換する必要がある可食性犬用噛み具が、市販されている。二つの異なる材料からなる噛み玩具においては、より食べられる材料が消費されると、残りの部分を捨てることができる。求められることは、耐久性のある噛み具ホルダーとホルダーに接続され得る様々な形状の交換可能な噛み具とを組み合わせ、動物または動物の飼い主のいずれかによって噛み具を保持するための手段を提供することである。
［概要］
動物用噛み具は、第１の外形を有し、相対的に耐久性が低い第１の組成物を含む本体であって、その形状は前記本体の少なくとも途中まで通って延在する開口部を有する本体と、第２の形状を有し、第２の材料を含むホルダーであって、前記第２の材料は相対的に耐久性のある重合体を含み、前記第２の形状は前記本体の前記開口部に対して相補的な形状であるシャフト部を有し、締まりばめを提供するホルダーと、を備える。前記ホルダーの前記相対的に耐久性のある組成物は、前記相対的に耐久性が低い本体部と比較して、次の特徴の一つ以上を有するものとして特徴付けられる。（１）高いショア硬さ、（２）高い融解温度、（３）高い分子量平均、（４）高い密度、（５）低い相対含水率、（６）相対的に厚い断面、（７）高い曲げ弾性率および／または引張係数、（８）高い引張強度、（９）低い降伏点伸び、または（１０）高い切り欠きアイゾット衝撃力。
【図面の簡単な説明】
【０００７】
本発明の特徴、作用、および効果は、添付の図面と併せて読むことにより、以下の好適な実施形態の詳細な説明から、よりよく理解されよう。
【図１】本開示に従う動物用噛み具の一例の斜視図である。
【図２】ホルダーが取り外された状態での図１に示す動物用噛み具の斜視図である。
【図３】図１に示す動物用噛み具のホルダーの側面図である。
【図４】図３に示す動物用噛み具のホルダーの端面図である。
【図５−７】本開示に従う例示的な異なる形状を有する動物用噛み具の斜視図である。
【図８】本開示に従うさらに他の形状を有する動物用噛み具の正面図である。
【発明を実施するための形態】
【０００８】
［詳細な説明］
本発明のさらに他の目的および効果は、本発明の好適な実施形態が示され、説明された以下の詳細な説明から、当業者には容易に明らかになるであろう。理解されるように、本発明から逸脱することなく、本発明は他の様々な実施形態を採ることが可能であり、本発明のそれぞれの細部は様々な点で変更が可能である。したがって、本説明は、本来例示的なものであって、制限的なものと見なされるべきではない。
【０００９】
本開示の様々な実施形態に共通する要素に関して、参照番号は実施形態間で一定であるが、英数字によって既出の参照番号と区別される。言い換えれば、例えば第一実施形態において１０で参照された要素は、それ以降の実施形態においてはこれに対応して１０Ａ，１０Ｂ等で参照される。したがって、一実施形態が要素を参照するために参照番号を用いる場合、その参照番号は、英数字によって区別されるように、その要素が共通している他の実施形態に同じように適用される。
【００１０】
本開示は、動物またはペット用の噛み玩具を対象とし、溶融加工可能な異なる材料からなる二つ以上の成型された形状物を有してよい。第１の外側の形状物（ハート、浅裂など）は、相対的に耐久性が低く容易に消費される得る組成物（デンプンベース、香り付き、栄養があるなど）からなり、開口部を少なくとも途中まで有し、第２の形状物は、動物が簡単に消費できない相対的に耐久性のある第２の組成物（ナイロン、ポリウレタンなど）からなる。
【００１１】
よって、より耐久性のある組成物は、相対的に耐久性の低い組成物と比較して以下の特徴のうち一つ以上を有する組成物であると理解されてよい。（１）高いショア硬さ、（２）高い融解温度または高い結晶性、（３）相対的に高い重量平均分子量（Ｍｗ）または相対的に高い数平均分子量（Ｍｎ）などの高い分子量平均、（４）高い密度、（５）低い相対含水率、（６）相対的に厚い断面、（７）高い曲げ弾性率および／または引張係数、（８）高い引張強度、（９）低い降伏点伸び、（１０）高い切り欠きアイゾット衝撃力。したがって、前述の特徴のうち一つ以上が本明細書におけるより耐久性のある組成物の特徴であり得る。
【００１２】
上記をさらに詳しく説明すると、相対的に耐久性が低い組成物は、動物が簡単に消費できる組成物ということになり得ると理解されてよい。例えば、硬度のパラメーターに関して、動物は、本来、相対的に硬度の低い組成物に噛み付き消費する傾向にある。さらに、動物は、本来、相対的に低い曲げ弾性率または引張係数の組成物に噛み付く傾向にある。さらに、二つの類似した樹脂に関して、相対含水率がより高い組成物に噛み付く傾向にある。
【００１３】
前記第２の形状物は、前記第１の形状物の開口部に締まりばめで嵌合するように形成されることが好ましく、例えば、一端に、動物または飼い主が握るための外側に延在するナックル形状または関節丘を有する。この構成により、第２の形状物は、相対的に耐久性が低い組成物に対する「ディスペンサー」または「ホルダー」としての役割を果たし得て、また、新しい「第１の形状物」に挿入されることにより、ペットの楽しみを広げ、且つ耐久性のある材料の再利用をもたらし得る。第２の筒状の形状物の外面は、溝または凸部を有してよく、また、開口部の内面は、相補的な形状の溝（Ｌ型）または凸部を、これら二つの形状を固定するために有してよい。開口部は、貫通穴であってよく、形状は、射出成形または押出成形されることが好ましいであろう。
【００１４】
図１は、本開示に基づく動物用噛み具１０の一例の斜視図である。動物用噛み具１０は、第１の相対的に耐久性が低い組成物からなる本体１２を有し、異なる形状の比較的耐久性のある第２の組成物からなるホルダー１４を備える。ホルダーは、本体へ挿入可能であり、噛み付き用のホルダーとして機能する。ホルダーは、動物またはその飼い主が噛み具を（噛み付き、綱引きために）操作および安定化する手段を提供するのに役立つ。また、ホルダーは、元の本体が消費された時に、新しいおよび／または異なる取替用本体が取り付けられる装置としても役に立つ。
【００１５】
図２は、ホルダーが取り外された状態での図１の動物用噛み具の斜視図であり、ホルダー部１４と本体部１２がどのように係合し得るかを図示する。参照符号１８は、本体部１２の少なくとも途中まで通って延在する開口部を示し、ホルダー１４のシャフト部（図３参照）がこの開口部１２に挿入され得る。開口部は、本体部１２を貫通してよく、ホルダー１４のシャフト部に対して相補的な任意の形状（例えば、円形、楕円形、多角形）であってよい。シャフトおよび穴は、以下に説明されるとおり、本体をホルダーに固定できるように円形であることが好ましい。
【００１６】
図３は、図１の動物用噛み具のホルダーの側面図であり、シャフト２４および球状（bulbous）の端部１６を図示する。これは、動物との交流中に、噛み具を比較的簡単に掴んだり保持したりすることを可能とし得る。前述のように、シャフト２４は、円形または他の任意の適した形状（楕円形、および／または多角形）であり得る。
【００１７】
ホルダー１４と本体１２は、動物用噛み具が、通常使用の際は容易には分離しない一方、動物が継続して楽しめるように、新しい、および／または、異なる形状の本体の取り付けを可能とし得るように、相補的固定手段を備え得る。図３および図４に図示されるように、ホルダーシャフト２４は、その外面から延在する凸部２２を有してよく、凸部は、開口部１８の内側に沿って広がる溝２０と機械的に係合することのできる大きさおよび形状を有する。図２を参照下さい。溝は、凸部と摩擦係合するように、内側へ広がるにつれて狭くなるように先細にされて良く、または、より好ましくは、溝の一端に、開口部の内周面に部分的に延びる「Ｌ形状の」脚２６が形成されてよく、その結果、ホルダー１４は、端部１６によって掴まれ、回転されて、本体１２をホルダー１４に固定し得る。凸部は開口部の内面から延在してもよく、相補的な「Ｌ形状の」溝は、ホルダーシャフトの表面に存在してもよいと理解される。
【００１８】
相補的なテーパーシャフトおよび開口部を有する、二つ以上の凸部および溝を有する、螺旋形状のねじ山が形成されたシャフトおよび相補的な係合溝を持つ開口部を有する、または、挿入および回転時に、より固いねじ山が開口部の壁に溝を刻むようなシャフトよりも柔らかい材料からなる滑らかな開口部などの、本体およびホルダーをしっかり係合する他の手段が使用されてよいとさらに理解される。
【００１９】
図４は、図３に示す動物用噛み具のホルダーの端面図であり、掴んで保持するのに、または回転するのに比較的手助けになるだろう球状端部の形状の一例を図示する。“球型の形状”であることにより、その形状は、シャフトと比較して相対的に大きい端部を提供し、好ましくは、幾つかの突出部（ナックル、ノブなど）を含む。
【００２０】
図５−図７は、動物の噛み付きを継続または変更するために、取り替えられる（ｒｅｐｌａｃｅｍｅｎｔ）または交換される（ｅｘｃｈａｎｇｅ）ようにホルダーに取り付けられ得る異なる形状の動物用噛み具を例示的に示す斜視図である。図５は、三小葉の形状を、図６は、ポークチョップまたはお肉の他のカットを、図７は、犬の骨の形状を表現する。
【００２１】
図８は、本開示に従うさらに別の形状を有する動物用噛み具１０Ｄの正面図であり、動物用噛み具１０Ｄは、本体１２Ｄおよびホルダー１４Ｄを有する。
相対的に耐久性のあるホルダー１４は、相対的に硬度の高い（ショアＤデュロメータ５０以上）ポリアミドまたはポリウレタンのような相対的に硬い熱可塑性重合体から形成されることが好ましい。ショアＤは、２０から８０の範囲であってよい。他の重合体は、ゴム材料、熱可塑性エラストマー、ナイロン共重合体、スレチンブタジエン共重合体、ポリエーテルアミド共重合体、シリコーン、ポリカーボネート、ポリカーボネート共重合体、熱硬化性重合体、および天然ゴムを含んでよい。ホルダーは、誘引物質、香味料、および充填剤だけでなく、材料にカラーまたは光透過性を有し得ると理解されるべきである。
【００２２】
動物用噛み具の本体１２は、ホルダー１４よりも、相対的に耐久性が低く、相対的に容易に消費可能な組成物であることが好ましく、可食性樹脂組成物を有することが好ましいであろう。
【００２３】
可食性樹脂組成物は、天然または植物由来のあらゆるデンプンまたは炭水化物を含み得る。デンプンは、アミロースおよび／またはアミロペクチンを含み得、またジャガイモ、米、タピオカ、とうもろこし、ならびに、ライ麦、小麦およびオーツ麦などの穀類を含むが、これらに限定されない植物から抽出され得る。デンプンはまた、果物類、ナッツ類、および根茎類、または、クズウコン、グアーガム、イナゴマメ、アラカチャ、ソバ、バナナ、大麦、キャッサバ、こんにゃく、葛、オカ、サゴ、ソルガム、サツマイモ、タロイモ、ヤムイモ、ソラマメ、レンズ豆およびエンドウ豆からも抽出し得る。デンプンは、約５０％、８５％などより大きいレベルのような約３０−９９％の間における全ての増分および数値を含む約３０から９９％の間で可食性樹脂組成物に含まれてよい。
【００２４】
本明細書中で採用されるデンプンは、生デンプンであってよい。生デンプンは、樹脂が熱の存在下で形作られる、押出成形やその他の溶融加工ステップなどの熱成型を事前に施していないデンプンであると理解され得る。生デンプン自体は、天然由来であってよく、抽出により元の形状で回収される、物理的または化学的には変性されていない、未変性のデンプンとして理解され得る。生デンプンはまた、様々な粒径の粉末形状であってよく、その粒径は約１−２０００μｍの範囲内であってよく、その中の全ての範囲および増分を含む。生デンプンは、ミルにかけた、および／または事前にふるいにかけられたデンプンと理解され得る。生デンプンはまた、様々な水分含量を有し得ると理解されるべきである。一実施形態において、水分は、４０％，約２０％，約１０％等の１−６０％の間における全ての増分および数値を含む１−６０％の間において生デンプンに含まれてよい。
【００２５】
本明細書中の可食性樹脂組成物は、Ｍａｎｉｌｄｒａ  Ｇｒｏｕｐ  ＵＳＡから以下の商品名で調達されてもよい：精製された食品用の小麦デンプンである「ＧＥＭＳＴＡＲ  １００」、精製された食品用の小麦デンプンである「ＧＥＭＳＴＡＲ  １００＋」、小麦粉から抽出されたグルテンの低温乾燥による粉末製品である「ＧＥＭ  ＯＦ  ＴＨＥ  ＷＥＳＴ  ＶＩＴＡＬ  ＷＨＥＡＴ  ＧＬＵＴＥＮ」、有機小麦粉から抽出されたグルテンの低温乾燥による粉末製品である「ＯＲＧＡＮＩＣ  ＧＥＭ  ＯＦ  ＴＨＥ  ＷＥＳＴ  ＶＩＴＡＬ  ＷＨＥＡＴ  ＧＬＵＴＥＮ」、有機小麦粉から抽出された小麦デンプンである「ＯＲＧＡＮＩＣ  ＧＥＭＳＴＡＲ  １００」、および／またはアルファ化有機小麦デンプンである「ＯＲＧＡＮＩＣ  ＧＥＭＧＥＬ  １００」。さらに、樹脂組成物は、ＡＤＭから、小麦樹脂組成物である「ＥＤＩＧＥＬ  １００」、および変性されていない食品用の小麦デンプン「ＡＹＴＥＸ  Ｐ」という商品名で調達されてもよい。
【００２６】
その他の可食性樹脂材料は、カゼイン、変性または加水分解されたカゼイン、コラーゲン、変性または加水分解されたコラーゲン、生皮、ゼラチン、動物粉のような他の動物性タンパク質製品などの、動物源に由来し得るものを考えてもよい。樹脂材料は、グルテンなどの植物性物質、野菜物質、ナッツ粉、ナッツペーストまたはナッツ片等のナッツ、果実物質等に由来してもよい。また、様々な可食性樹脂材料（すなわち、デンプン、動物由来源および植物由来源）は、熱可塑性材料および／または熱硬化性材料だけでなく他の可食性樹脂組成物とブレンドされてもよい。
【００２７】
例えば、グルテンを可食性樹脂組成物に組み込んでよい。グルテンは、トウモロコシや小麦の等の穀物から抽出された非水溶性タンパク質複合体であると理解されてよい。グルテンは、樹脂組成物の約０．１−５０重量％の間、および０．１−５．０％，１５％，２５％などを含む約０．１−５０重量％の間における全ての増分および数値で個別にまたは累積的に含まれて良い。
【００２８】
さらに、様々な添加物を可食性樹脂組成物に組み込んでよい。可食性樹脂組成物は、例えば、セルロースを含んでよい。セルロースは、例えば、多糖炭水化物の長鎖重合体であってよい。セルロースは、植物由来であってもよいし、または植物から抽出されてもよい。セルロースは、樹脂組成物の約１−１５重量％の間、および４％，１０％，１１％などを含む約１−１５質量％の間における任意の増分もしくは数値で、樹脂組成物に組み込まれてよい。
【００２９】
乳化材または界面活性剤もまた可食性樹脂組成物に組み込まれてよい。乳化材は、樹脂組成物の約１−１０重量％の間、および、３％，４％などを含む約１−１０重量％の間における全ての増分もしくは数値で含まれてよい。乳化材は、例えば、レシチンを含んでよく、レシチンは、例えば卵黄または大豆などから抽出されてもよいし、またはそれらに由来してもよい。
【００３０】
可食性樹脂組成物は、可塑剤をも含んでもよい。可塑剤は、例えば、グリセリンを含み得る。可塑剤は、１５％，２１％，２７％等より大きいレベルのような、約１５−３０％の間における全ての増分および数値を含む、約１５−３０％の間で組み込まれてよい。
【００３１】
保湿剤もまた、可食性樹脂組成物に含まれてよい。保湿剤は、例えば、オーツファイバーを含んでよい。保湿剤は、１％，２５％等を含む、樹脂組成物の約０．１−５重量％の間における全ての増分および数値を含む、樹脂組成物の約０．１−５重量％の間で組み込まれてよい。保湿剤は、材料内の水分を吸収し得る任意の添加剤であってよいと理解され得る。
【００３２】
可食性樹脂組成物はまた、水分を含んでもよい。水分は、可食性樹脂組成物の約１−４０重量％の間、および、４％，２０−４０％，１０−２０％等を含む約１−４０重量％の間における任意の増分または数値で組成物に導入されてよい。製品が形成された後は、２０％未満、４％，５−１０％等の樹脂組成物の１−２０重量％の間における全ての増分または数値を含む、樹脂組成物の１−２０重量％で水分は含まれてよい。
【００３３】
可食性組成物は、一般的に、栄養補給剤を含み得る。栄養補給剤は、発酵大豆であり得る。栄養補給剤である発酵大豆は、Ｂｉｏ  Ｆｏｏｄ，Ｌｔｄ．ニュージャージー州パインブルックより入手可能で、一般商標Ｓｏｙｎａｔｔｏ（登録商標）で販売されている。発酵大豆は、１０％，２０％等を含む樹脂組成物の約１−４０重量％の間における全ての増分および数値を含む樹脂組成物の約１−４０重量％の間で含まれる。
【００３４】
Ｂｉｏ  Ｆｏｏｄ，Ｌｔｄ．ニュージャージー州パインブルックより同様に入手可能であり、ＢＴ‐ＣｏＱ１０（登録商標）の商標名で販売されている酵素および／または補酵素も同じように可食性組成物に含まれてよい。これは、生物学的に形質転換された（発酵された）細胞ミトコンドリア補酵素であると報告されており、コエンザイムＱ１０、抗酸化剤、ファイトニュートリエント、補因子無機栄養素（cofactor mineral nutrients）、および他の細胞成分を含む。酵素および／または補酵素は、１％，５％等の樹脂組成物の０．１−１０重量％の間における全ての増分および数値を含む樹脂組成物の０．１−１０重量％の間で含まれてもよい。
【００３５】
さらに、ハーブ抽出物、ビタミン、ミネラル、着色剤、酵母製品、大豆製品、誘引物質等も、栄養価を提供するために、可食性組成物に組み込まれてもよい。酵母製品は、例えば、サッカロミセス・セレビシエ（saccharomyces cerevisiae）などの栄養酵母もしくはビール酵母、クルイヴェロミセス・マルキナウス（Kluyveromyce marxianus）などの乳酵母、または、サッカロミセス・フェルメンタティ（saccharomyces fermentati）などのブドウ酒酵母、などを含んでもよい。可食性組成物は、着色剤、誘引物質、香味料などを備え得ると理解される。
【００３６】
ホルダーおよび／または本体のいずれか一方が、透明もしくは半透明であってよく、または、発光物質もしくは蛍光物質を有してよい。
本明細書で図示された形状は、射出成形または圧縮成形に特に適しており、押出成形加工もまた本体およびホルダーを一つ以上形成するのに使用されてよい。
【００３７】
本開示の特定の実施形態が図示および記載されたが、本開示の精神および範囲を逸脱しない範囲の他の様々な変更および修正が成され得ることは当業者には自明であろう。よって、本開示の範囲内の全ての変更および修正が添付のクレームに網羅されることが意図されている。
【図１】
0005961637.tif 000002
【図２】
0005961637.tif 000003
【図３】
0005961637.tif 000004
【図４】
0005961637.tif 000005
【図５】
0005961637.tif 000006
【図６】
0005961637.tif 000007
【図７】
0005961637.tif 000008
【図８】
0005961637.tif 000009